(57)【要約】【課題】特定の場所に配置された充電器に装着された場合に、近距離通信機能の電源を自動的にオン制御する携帯端末装置を提供する。【解決手段】この携帯端末装置３は、充電台５の非接触ＩＣタグ５ｃとの間で非接触無線通信を行う非接触無線通信部３ｋと、特定の識別情報が記憶された第１記憶部３ｈと、外部機器７と通信接続する近距離無線通信部３ｊと、充電台５により充電される充電部３ｆと、充電部３ｆが充電中であるか否かを検出する充電状態検出部３ｇと、近距離無線通信部３ｊの電源をオンオフ制御する制御部３ｐとを備え、制御部３ｐは、非接触無線通信部３ｋにより読み取られた識別情報が前記特定の識別情報と一致し且つ充電状態検出部３ｇにより充電部３ｆが充電中であることが検出された場合は、近距離無線通信部３ｊの電源をオン制御する。【選択図】図１
2014049896.tif 000002
【特許請求の範囲】
【請求項１】
外部の充電器に配設された非接触ＩＣタグとの間で非接触無線通信を行って、前記非接触ＩＣタグが所定距離内に存在するか否かを検出すると共に前記非接触ＩＣタグに設定された識別情報を読み取る非接触無線通信部と、
特定の識別情報が記憶された第１記憶部と、
外部機器と通信接続する近距離無線通信部と、
前記充電器により充電される充電部と、
前記充電部が充電中であるか否かを検出する充電状態検出部と、
前記近距離無線通信部の電源をオンオフ制御する制御部と、
を備え、
前記制御部は、前記非接触無線通信部により読み取られた前記識別情報が前記特定の識別情報と一致し且つ前記充電状態検出部により前記充電部が充電中であることが検出された場合は、前記近距離無線通信部の電源をオン制御することを特徴とする携帯端末装置。
【請求項２】
請求項１に記載の携帯端末装置であって、
前記近距離無線通信部の電源のオン／オフ状態が記憶される第２記憶部を更に備え、
前記制御部は、前記非接触無線通信部により読み取られた前記識別情報が前記特定の識別情報と一致し且つ前記充電状態検出部により前記充電部が充電中であることが検出された場合は、その検出時の前記近距離無線通信部の電源がオフ状態であれば、そのオフ状態を前記第２記憶部に記憶することを特徴とする携帯端末装置。
【請求項３】
請求項２に記載の携帯端末装置であって、
前記制御部は、前記非接触無線通信部により前記非接触ＩＣタグが前記所定距離内に存在しないことが検出された場合は、前記第２記憶部に前記オフ状態が記憶されていれば、前記近距離無線通信部の電源のオン／オフ状態を前記第２記憶部に記憶されている前記オフ状態に変更することを特徴とする携帯端末装置。
【請求項４】
請求項１〜３の何れか１つに記載の携帯端末装置であって、
前記制御部は、前記充電状態検出部により前記充電部が充電中であることが検出された場合は、前記非接触無線通信部の電源をオン制御することを特徴とする携帯端末装置。  
【請求項５】
請求項４に記載の携帯端末装置であって、
前記非接触無線通信部の電源のオン／オフ状態が記憶される第３記憶部を更に備え、
前記制御部は、前記充電状態検出部により前記充電部が充電中であることが検出された場合は、その検出時の前記非接触無線通信部の電源がオフ状態であれば、そのオフ状態を前記第３記憶部に記憶することを特徴とする携帯端末装置。
【請求項６】
請求項５に記載の携帯端末装置であって、
前記制御部は、前記非接触無線通信部により前記非接触ＩＣタグが前記所定距離内に存在しないことが検出された場合は、前記第３記憶部に前記オフ状態が記憶されていれば、前記非接触無線通信部の電源のオン／オフ状態を前記第３記憶部に記憶されている前記オフ状態に変更することを特徴とする携帯端末装置。
【請求項７】
請求項１〜６の何れか１つに記載の携帯端末装置であって、
前記携帯端末装置に対する操作が入力される操作部と、
前記第１記憶部に識別情報を設定する識別情報設定部と、
を更に備え、
前記識別情報設定部は、前記操作部に所定の操作が入力された場合において、前記非接触無線通信部により前記識別情報が読み取られたときは、その読み取られた識別情報を前記特定の識別情報として前記第１記憶部に設定することを特徴とする携帯端末装置。
【請求項８】
携帯端末装置の充電部を充電する充電器であって、
前記充電部に電力を送電して前記充電部を充電する送電部と、
前記充電器を識別する識別情報が設定された非接触ＩＣタグと
を備えることを特徴とする充電器。
【請求項９】
外部機器と通信接続する近距離無線通信機能を有する携帯端末装置と、前記携帯端末装置を充電する充電器とを備えた携帯端末システムであって、
前記携帯端末装置は、
前記充電器に配設された非接触ＩＣタグとの間で非接触無線通信を行って、前記非接触ＩＣタグが所定距離内に存在するか否かを検出すると共に前記非接触ＩＣタグに設定された識別情報を読み取る非接触無線通信部と、
特定の識別情報が記憶された第１記憶部と、
外部機器と通信接続する近距離無線通信部と、
前記充電器により充電される充電部と、
前記充電部が充電中であるか否かを検出する充電状態検出部と、
前記近距離無線通信部の電源をオンオフ制御する制御部と、
を備え、
前記制御部は、前記非接触無線通信部により読み取られた前記識別情報と前記特定の識別情報とが一致し且つ前記充電状態検出部により前記充電部が充電中であることが検出された場合は、前記近距離無線通信部の電源をオン制御し、
前記充電器は、
前記充電部に電力を送電して前記充電部を充電する送電部と、
前記充電器を識別する前記識別情報が設定された前記非接触ＩＣタグと、
を備えることを特徴とする携帯端末システム。
【発明の詳細な説明】
【技術分野】
【０００１】
本発明は、外部機器と通信接続するための近距離無線通信機能を有し、その通信機能の電源のオンオフを自動制御する携帯端末装置、それを充電する充電器、および、それらを備えた携帯端末システムに関する。
【背景技術】
【０００２】
従来より、外部機器と通信接続するための近距離無線通信機能（例えばＢｌｕｅｔｏｏｔｈ（登録商標））を備えた携帯電話機が知られている。このような携帯電話機では、近距離無線通信機能を用いて、携帯電話機を手に持たないで通話を行うためのハンズフリー装置と通信接続することが可能である。
【０００３】
携帯電話機とハンズフリー装置とを通信接続させる場合は、携帯電話機とペアリング済みのハンズフリー装置を用意しておき、携帯電話機の近距離通信機能の電源をオン操作しておく必要がある。
【０００４】
また、特定の場所（例えば自動車の車室内）だけで、携帯電話機とハンズフリー装置とを通信接続させる場合は、当該特定の場所以外の場所では、携帯電話機の電池消費量を抑制するために、携帯電話機の近距離通信機能の電源はオフ状態にされることが望ましい。この場合は、当該特定の場所では（例えば自動車の運転開始前に）、携帯電話機の近距離通信機能の電源はオン操作されておく必要があるが、このオン操作は、時々、操作し忘れられる場合があるという問題がある。
【０００５】
なお、オン操作が操作し忘れられた場合は、例えば自動車の運転中に、携帯電話機への着信があったり携帯電話機からの発信を行っても、ハンズフリー装置を用いて着信および通話が行えない。
【０００６】
このオン操作の操作し忘れの問題を解決する技術として、特許文献１が知られている。特許文献１には、携帯電話機が充電器に装着されている間だけ、携帯電話機の近距離通信機能の電源が自動的にオン制御される技術が開示されている。
【０００７】
より詳細には、特許文献１では、有線接続式（即ち、携帯電話機と充電器とを機械的に接続する方式）の充電器が使用されている。有線接続式の充電器では、携帯電話機が充電器に装着されることで携帯電話機への充電が行われ、携帯電話機が充電器から取り外されることで携帯電話機への充電が終了する。そのため、充電の開始／終了に基づくことで、携帯電話機が充電器に装着されている間、携帯電話機の近距離通信機能の電源をオン状態に制御できる。特に、携帯電話機が充電器から取り外されるまで、携帯電話機の近距離通信機能の電源をオン状態に制御できる。
【先行技術文献】
【特許文献】
【０００８】
【特許文献１】特開２００６−４９９４２号公報
【発明の概要】
【発明が解決しようとする課題】
【０００９】
しかしながら、特許文献１では、有線接続式の充電器を用いることを前提とするので、非接触式の充電器を用いると、携帯電話機が充電器から取り外されるまで、携帯電話機の近距離通信機能の電源をオン状態に制御できなくなる。
【００１０】
即ち、非接触式の充電器では、充電の開始は、携帯電話の充電器への装着が契機になるが、充電の終了は、携帯電話機の充電器からの取り外しが契機にならず、満充電が契機となる。このため、充電の開始／終了に基づいて携帯電話機の近距離通信機能の電源をオンオフ制御すると、満充電を契機に携帯電話機がオフ制御されるので、携帯電話機が充電器から取り外されるまで、携帯電話機の近距離通信機能の電源をオン状態に制御できない。
【００１１】
また、特許文献１では、充電の開始／終了に基づいて、携帯電話機の近距離通信機能の電源がオンオフ制御されるので、特定の場所だけで、携帯電話機の近距離通信機能の電源をオンオフ制御させることができないという問題がある。例えば、特定の場所を含む複数の場所に同種の充電器を配置させた場合、特定の場所以外の場所でも、携帯電話機が充電器に装着されて充電が行われると、その充電に応じて、携帯電話機の近距離通信機能の電源がオンオフ制御される。
【００１２】
そこで、本発明は、上記の問題点を鑑みてなされたものであり、特定の場所に配置された充電器に装着された場合に、近距離通信機能の電源を自動的にオン制御させることができる携帯端末装置、充電器および携帯端末システムを提供することを目的とする。
【課題を解決するための手段】
【００１３】
上記課題を解決するために、本発明の携帯端末装置は、外部の充電器に配設された非接触ＩＣタグとの間で非接触無線通信を行って、前記非接触ＩＣタグが所定距離内に存在するか否かを検出すると共に前記非接触ＩＣタグに設定された識別情報を読み取る非接触無線通信部と、特定の識別情報が記憶された第１記憶部と、外部機器と通信接続する近距離無線通信部と、前記充電器により充電される充電部と、前記充電部が充電中であるか否かを検出する充電状態検出部と、前記近距離無線通信部の電源をオンオフ制御する制御部と、を備え、前記制御部は、前記非接触無線通信部により読み取られた前記識別情報が前記特定の識別情報と一致し且つ前記充電状態検出部により前記充電部が充電中であることが検出された場合は、前記近距離無線通信部の電源をオン制御する。
【００１４】
上記の構成によれば、非接触無線通信部により読み取られた識別情報が特定の識別情報と一致し且つ充電状態検出部により充電部が充電中であることが検出された場合は、近距離無線通信部の電源がオン制御されるので、特定の場所に配置された充電器に、特定の識別情報が設定された非接触ＩＣタグを配設しておくことで、携帯端末装置が特定の場所の充電器に装着された場合に、近距離無線通信部の電源を自動的にオン制御させることができる。また、充電部が充電中であることを条件に、近距離無線通信部の電源がオン制御されるので、携帯端末装置の電池残量を気にせずに、近距離無線通信部の電源がオン制御させることができる。
【００１５】
また、本発明の携帯端末装置は、上記に記載の携帯端末装置であって、前記近距離無線通信部の電源のオン／オフ状態が記憶される第２記憶部を更に備え、前記制御部は、前記非接触無線通信部により読み取られた前記識別情報が前記特定の識別情報と一致し且つ前記充電状態検出部により前記充電部が充電中であることが検出された場合は、その検出時の前記近距離無線通信部の電源がオフ状態であれば、そのオフ状態を前記第２記憶部に記憶する。
【００１６】
上記の構成によれば、非接触無線通信部により読み取られた識別情報が特定の識別情報と一致し且つ充電状態検出部により充電部が充電中であることが検出された場合は、その検出時の近距離無線通信部の電源がオフ状態であれば、そのオフ状態が第２記憶部に記憶されるので、近距離無線通信部の電源がオン制御される前の当該電源のオン／オフ状態（即ちオフ状態）を保存しておくことができる。
【００１７】
また、本発明の携帯端末装置は、上記に記載の携帯端末装置であって、前記制御部は、前記非接触無線通信部により前記非接触ＩＣタグが前記所定距離内に存在しないことが検出された場合は、前記第２記憶部に前記オフ状態が記憶されていれば、前記近距離無線通信部の電源のオン／オフ状態を前記第２記憶部に記憶されている前記オフ状態に変更する。
【００１８】
上記の構成によれば、非接触無線通信部により非接触ＩＣタグが所定距離内に存在しないことが検出された場合（即ち、携帯端末装置が充電器から取り外された場合）は、第２記憶部にオフ状態が記憶されていれば、近距離無線通信部の電源のオン／オフ状態が第２記憶部に記憶されているオフ状態に変更されるので、携帯端末装置が充電器から取り外された場合は、近距離無線通信部の電源を、それがオン制御される前のオン／オフ状態（即ちオフ状態）に自動的に戻すことができる。
【００１９】
また、携帯端末装置の充電器からの取り外しの検出が非接触無線通信部を利用して行われるので、携帯端末装置の充電器からの取り外しの契機を検出する機構を携帯端末装置または充電器に設ける必要がない。
【００２０】
また、本発明の携帯端末装置は、上記に記載の携帯端末装置であって、前記制御部は、前記充電状態検出部により前記充電部が充電中であることが検出された場合は、前記非接触無線通信部の電源をオン制御する。
【００２１】
上記の構成によれば、充電状態検出部により充電部が充電中であることが検出された場合は、非接触無線通信部の電源がオン制御されるので、携帯端末装置の電池残量を気にせずに、非接触無線通信部の電源をオン制御させることができる。
【００２２】
また、本発明の携帯端末装置は、上記に記載の携帯端末装置であって、前記非接触無線通信部の電源のオン／オフ状態が記憶される第３記憶部を更に備え、前記制御部は、前記充電状態検出部により前記充電部が充電中であることが検出された場合は、その検出時の前記非接触無線通信部の電源がオフ状態であれば、そのオフ状態を前記第３記憶部に記憶する。
【００２３】
上記の構成によれば、充電状態検出部により充電部が充電中であることが検出された場合は、その検出時の非接触無線通信部の電源がオフ状態であれば、そのオフ状態が第３記憶部に記憶されるので、非接触無線通信部の電源がオン制御される前の当該電源のオン／オフ状態（即ちオフ状態）を保存しておくことができる。
【００２４】
また、本発明の携帯端末装置は、上記に記載の携帯端末装置であって、前記制御部は、前記非接触無線通信部により前記非接触ＩＣタグが前記所定距離内に存在しないことが検出された場合は、前記第３記憶部に前記オフ状態が記憶されていれば、前記非接触無線通信部の電源のオン／オフ状態を前記第３記憶部に記憶されている前記オフ状態に変更する。
【００２５】
上記の構成によれば、非接触無線通信部により非接触ＩＣタグが所定距離内に存在しないことが検出された場合（即ち、携帯端末装置が充電器から取り外された場合）は、非接触無線通信部の電源が第３記憶部に記憶されたオフ状態に変更されるので、携帯端末装置が充電器から取り外された場合は、非接触無線通信部の電源を、それがオン制御される前のオン／オフ状態（即ちオフ状態）に自動的に戻すことができる。
【００２６】
また、本発明の携帯端末装置は、上記に記載の携帯端末装置であって、前記携帯端末装置に対する操作が入力される操作部と、前記第１記憶部に識別情報を設定する識別情報設定部と、を更に備え、前記識別情報設定部は、前記操作部に所定の操作が入力された場合において、前記非接触無線通信部により前記識別情報が読み取られたときは、その読み取られた識別情報を前記特定の識別情報として前記第１記憶部に設定する。
【００２７】
上記の構成によれば、操作部に所定の操作が入力された場合において、非接触無線通信部により識別情報が読み取られたときは、その読み取られた識別情報が特定の識別情報として第１記憶部に設定されるので、第１記憶部に設定される特定の識別情報として、利用者の所望の識別情報を設定できる。
【００２８】
また、本発明の充電器は、携帯端末装置の充電部を充電する充電器であって、前記充電部に電力を送電して前記充電部を充電する送電部と、前記充電器を識別する識別情報が設定された非接触ＩＣタグと、を備える。
【００２９】
上記の構成によれば、充電器を識別する識別情報が設定された非接触ＩＣタグを備えるので、上述の効果を奏する携帯端末装置用の充電器を提供できる。
【００３０】
また、本発明の携帯端末システムは、外部機器と通信接続する近距離無線通信機能を有する携帯端末装置と、前記携帯端末装置を充電する充電器とを備えた携帯端末システムであって、前記携帯端末装置は、前記充電器に配設された非接触ＩＣタグとの間で非接触無線通信を行って、前記非接触ＩＣタグが所定距離内に存在するか否かを検出すると共に前記非接触ＩＣタグに設定された識別情報を読み取る非接触無線通信部と、特定の識別情報が記憶された第１記憶部と、外部機器と通信接続する近距離無線通信部と、前記充電器により充電される充電部と、前記充電部が充電中であるか否かを検出する充電状態検出部と、前記近距離無線通信部の電源をオンオフ制御する制御部と、を備え、  前記制御部は、前記非接触無線通信部により読み取られた前記識別情報と前記特定の識別情報とが一致し且つ前記充電状態検出部により前記充電部が充電中であることが検出された場合は、前記近距離無線通信部の電源をオン制御し、前記充電器は、前記充電部に電力を送電して前記充電部を充電する送電部と、前記充電器を識別する前記識別情報が設定された前記非接触ＩＣタグと、を備える。
【００３１】
上記の構成によれば、上述の効果を奏する携帯端末装置と充電器とを備えた携帯端末システムを提供できる。
【発明の効果】
【００３２】
本発明の携帯端末装置および携帯端末システムによれば、特定の場所に配置された充電器に装着された場合に、携帯端末装置の近距離通信機能の電源を自動的にオン制御させることができる。また、本発明の充電器によれば、本発明の携帯端末装置および携帯端末システムで使用する充電器を提供できる。
【図面の簡単な説明】
【００３３】
【図１】本発明の第１実施形態に係る携帯端末システムの構成概略図である。
【図２】図１の充電台の外観の一例を示した斜視図である。
【図３】図１の携帯電話機の第１記憶部への識別情報の設定手順を説明するフローチャートである。
【図４】図３の設定手順を案内する表示画面の一例を示す図である。
【図５】図３の設定手順を案内する表示画面の一例を示す図である。
【図６】図３の設定手順を案内する表示画面の一例を示す図である。
【図７】図３の設定手順を案内する表示画面の一例を示す図である。
【図８】携帯電話機が充電台に載せられたときの携帯電話機の動作を説明するフローチャートである。
【図９】携帯電話機が充電台から取り外されたときの携帯電話機の動作を説明するフローチャートである。
【発明を実施するための形態】
【００３４】
以下、本発明の第１実施形態を添付図面を参照して詳細に説明する。
【００３５】
≪第１実施形態≫
＜構成説明＞
図１は、本発明の第１実施形態に係る携帯端末システムの構成概略図であり、図２は、充電台の外観の一例を示した図である。
【００３６】
この実施形態に係る携帯端末システム１は、図１に示すように、充電台５に配設された非接触ＩＣタグ５ｃに設定された識別情報が充電台５の識別に利用され、その識別された特定の充電台５に携帯電話機（携帯端末装置）３が載せられた場合に、携帯電話機３の近距離無線通信部３ｊの電源が自動的にオン制御されるものである。
【００３７】
より詳細には、この携帯端末システム１は、所定の車両（自動車など）の車室に配置された充電台５を前記特定の充電台５とすることで、携帯電話機３が前記車両の車室に配置された充電台５に載せられると、自動的に、携帯電話機３の近距離無線通信部３ｊの電源がオン制御されて、携帯電話機３が前記車両の車室内のハンズフリー装置（外部機器）７と通信接続され、これにより、ハンズフリー装置７を介して携帯電話機３が使用可能となるものである。
【００３８】
この携帯端末システム１は、携帯電話機３と、前記車両の車室を含む複数の場所に配置された複数の充電台５と、前記車両の車室に配置されたハンズフリー装置７とを備えている。なお、前記複数の場所として、前記車両の車室以外に、例えば寝室、居間および職場などの色々の場所が挙げられる。なお、図１では、作図便宜上、充電台５が１個だけ図示されている。
【００３９】
＜携帯電話機３の構成＞
携帯電話機３は、基地局との間で音声通話等の無線通信を行う無線通信機能の他に、ハンズフリー装置７と通信接続するための近距離無線通信機能と、車室を含む各場所に配置された各充電台５の非接触ＩＣタグ５ｃの識別情報を読み取るための非接触無線通信機能とを有し、前記非接触無線通信機能により車室内の充電台５の非接触ＩＣタグ５ｃの識別情報を読み取った場合に、自動的に、ハンズフリー装置７と通信接続するために前記近距離無線通信機能の電源をオン制御するものである。
【００４０】
より詳細には、携帯電話機３は、図１に示すように、基地局との間で音声通話等の無線通信を行う無線通信部３ａと、受話音声等を出力するスピーカ部３ｂと、送話音声等を集音するマイクロホン部３ｃと、携帯電話機３の操作が入力される操作部３ｄと、表示画面等が表示される表示部３ｅと、充電台５により充電される充電部３ｆと、充電部３ｆの充電状態を検出する充電状態検出部３ｇと、特定の識別情報が設定される第１記憶部３ｈと、第１記憶部３ｈに特定の識別情報を設定する識別情報設定部３ｉと、ハンズフリー装置７と通信接続するための近距離無線通信部３ｊと、充電台５の非接触ＩＣタグ５ｃに設定された識別情報を読み取るための非接触無線通信部３ｋと、近距離無線通信部３ｊの電源のオン／オフ状態が記憶される第２記憶部３ｍと、非接触無線通信部３ｋの電源のオン／オフ状態が記憶される第３記憶部３ｎと、これら各部３ａ，３ｂ，３ｃ，３ｄ，３ｅ，３ｆ，３ｇ，３ｈ，３ｉ，３ｊ，３ｋ，３ｍ，３ｎを制御する制御部３ｐとを備えている。これら各部３ａ，３ｂ，３ｃ，３ｄ，３ｅ，３ｆ，３ｇ，３ｈ，３ｉ，３ｊ，３ｋ，３ｍ，３ｎ，３ｐの電源は、充電部３ｆに充電された電力により賄われる。
【００４１】
近距離無線通信部３ｊは、例えばＢｌｕｅｔｏｏｔｈ（登録商標）に準拠した無線通信を行う通信部である。近距離無線通信部３ｊの電源は、制御部３ｐによりオンオフ制御される。近距離無線通信部３ｊは、その電源がオン制御されると、携帯電話機３と予めペアリングされているハンズフリー装置７との間で通信接続を行い、他方、その電源がオフ制御されると、ハンズフリー装置７との間の通信接続を解除する。
【００４２】
非接触無線通信部３ｋは、例えばＮＦＣ（Near Field Communication）に準拠した無線通信を行う通信部である。非接触無線通信部３ｋは、例えば、それ自身から所定距離（例えば十数ｃｍの近距離）内に電磁波を発信させ、その電磁波の電気エネルギーを電源として前記所定距離内に存在する非接触ＩＣタグ５ｃを起動させて、非接触ＩＣタグ５ｃに設定されている識別情報を電磁波に乗せて非接触ＩＣタグ５ｃから発信させ、その発信された電磁波を受信し、その受信した電磁波から識別情報を読み取る（タグ読取動作）。
【００４３】
また、非接触無線通信部３ｋは、その読み取りの成功／失敗により、前記所定距離内に非接触ＩＣタグ５ｃが存在するか否か（即ち、携帯電話機３が充電台５に載せられているか又は携帯電話機３が充電台５から取り外されたか）を検出する（タグ検出動作）。
【００４４】
非接触無線通信部３ｋの電源は、制御部３ｐによりオンオフ制御される。非接触無線通信部３ｋは、その電源がオン制御されると、一定時間間隔で、前記タグ検出動作および前記タグ読取動作を行い、他方、その電源がオフ制御されると、前記タグ検出動作および前記タグ読取動作を停止する。
【００４５】
充電部３ｆは、非接触式（例えば電磁誘電方式、電界結合方式、電波方式または電界共鳴方式などの非接触式）の充電方式の充電部である。充電部３ｆは、電磁相互作用（例えば電磁誘電、電界結合、電波または電界共鳴など）を利用して非接触で充電台５から供給される電力を受電する受電部３ｑと、受電部３ｑにより受電された電力が充電される蓄電池３ｒとを備えている。充電部３ｆは、充電台５の非接触充電エリア５ｆ上に近接配置されると、非接触で充電台５から給電されて、充電される。
【００４６】
充電状態検出部３ｇは、例えば蓄電池３ｒの充放電電流および充放電電圧に基づいて、充電部３ｆが充電台５による充電中であるか（即ち、携帯電話機３が充電台５による充電中であるか）否かを検出する。
【００４７】
識別情報設定部３ｉは、操作部３ｄに入力された所定の操作（即ち、第１記憶部３ｈへの識別情報の設定を要求する操作）に基づいて、第１記憶部３ｈへの識別情報の設定手順を示した表示画面を表示部３ｅに表示させると共に、その設定手順において（即ち、操作部３ｄに前記所定の操作が入力された場合に）非接触無線通信部３ｋにより読み取られた識別情報を、特定の識別情報として第１記憶部３ｈに設定する。
【００４８】
なお、第１記憶部３ｈに既に識別情報が設定されている場合は、それを消去した上で、非接触無線通信部３ｋにより読み取られた識別情報を、特定の識別情報として設定する。ここでは、例えば前記車両の車室内の充電台５の非接触ＩＣタグ５ｃに設定された識別情報が、前記特定の識別情報として第１記憶部３ｈに設定される。
【００４９】
なお、ここでは、第１記憶部３ｈには、特定の識別情報として１つの識別情報だけが記憶される（即ち特定の場所が１つだけ設定される）場合で説明されるが、第１記憶部３ｈに特定の識別情報として複数の識別情報が記憶されてもよい（即ち特定の場所が複数設定されてもよい）。
【００５０】
制御部３ｐは、充電状態検出部３ｇの検出結果または操作部３ｄへの入力操作に基づいて非接触無線通信部３ｋの電源をオン制御し、非接触無線通信部３ｋの電源をオン制御する場合は、そのオン制御前の非接触無線通信部３ｋの電源のオン／オフ状態を第３記憶部３ｎに記憶する。
【００５１】
即ち、制御部３ｐは、充電状態検出部３ｇにより充電部３ｆが充電中であることが検出された場合、または、操作部３ｄに所定の操作（即ち、第１記憶部３ｈへの識別情報の設定を要求する操作）が入力された場合は、現在（例えばその検出時またはその入力時）の非接触無線通信部３ｋの電源のオン／オフ状態を第３記憶部３ｎに記憶した上で、非接触無線通信部３ｋの電源をオン制御する。このオン制御により、非接触無線通信部３ｋにより、一定時間間隔で、前記タグ検出動作および前記タグ読取動作が行われる。他方、制御部３ｐは、充電状態検出部３ｇにより充電部３ｆが充電中でないことが検出された場合、且つ、操作部３ｄに前記所定の操作が入力されない場合は、非接触無線通信部３ｋの電源のオン／オフ状態をそのまま維持する。
【００５２】
また、制御部３ｐは、非接触無線通信部３ｋの検出結果、制御部３ｐの後述の判定結果（即ち、非接触無線通信部３ｋにより読み取られた識別情報が特定の識別情報と一致したか否かの判定結果）および充電状態検出部３ｇの検出結果に基づいて、非接触無線通信部３ｋの電源をオフ制御する。
【００５３】
即ち、制御部３ｐは、非接触無線通信部３ｋにより携帯電話機３が充電台５から取り外されたことが検出された場合、非接触無線通信部３ｋによる非接触ＩＣタグ５ｃからの識別情報の読み取りが失敗した場合、制御部３ｐにより非接触無線通信部３ｋにより読み取られた識別情報が第１記憶部３ｈに記憶されている特定の識別情報と一致しないと判定された場合、または、充電状態検出部３ｇにより充電部３ｆが充電中でないことが検出された場合は、（ａ１）第３記憶部３ｎにオン／オフ状態（即ちオフ状態）が記憶されていれば、非接触無線通信部３ｋの電源のオン／オフ状態を第３記憶部３ｎに記憶されているオン／オフ状態へと変更し（即ち戻し）、その変更後に、第３記憶部３ｎに記憶されているオン／オフ状態を消去し、（ａ２）他方、第３記憶部３ｎにオン／オフ状態が記憶されていなければ、非接触無線通信部３ｋの電源のオン／オフ状態をそのまま継続させる。
【００５４】
また、制御部３ｐは、非接触無線通信部３ｋによる非接触ＩＣタグ５ｃからの識別情報の読み取りが成功した場合、その読み取られた識別情報と第１記憶部３ｈに記憶されている識別情報とが一致するか否かを判定する。そして、制御部３ｐは、その判定結果および充電状態検出部３ｇの検出結果（即ち、携帯電話機３が充電中であるか否かの検出結果）に基づいて、近距離無線通信部３ｊの電源をオンオフ制御し、近距離無線通信部３ｊの電源をオン制御する場合は、そのオン制御前の近距離無線通信部３ｊの電源のオン／オフ状態を第２記憶部３ｍに記憶する。
【００５５】
即ち、制御部３ｐは、上記の判定の結果、非接触無線通信部３ｋにより読み取られた識別情報と第１記憶部３ｈに記憶されている識別情報とが一致し、且つ、充電状態検出部３ｇにより携帯電話機３が充電中であることが検出された場合は、近距離無線通信部３ｊの電源のオン／オフ状態を第２記憶部３ｍに記憶した上で、近距離無線通信部３ｊの電源をオン制御する。このオン制御により、近距離無線通信部３ｊとハンズフリー装置７との間で通信接続が行われて、ハンズフリー装置７を介して携帯電話機３が使用可能になる。
【００５６】
また、制御部３ｐは、非接触無線通信部３ｋの検出結果に基づいて、非接触無線通信部３ｋの電源をオフ制御する。即ち、非接触無線通信部３ｋにより携帯電話機３が充電台５から取り外されたことが検出された場合は、（ｂ１）第２記憶部３ｍにオン／オフ状態（即ちオフ状態）が記憶されていれば、近距離無線通信部３ｊの電源のオン／オフ状態を第２記憶部３ｍに記憶されたオン／オフ状態へと変更し（即ち戻し）、その変更後に、第２記憶部３ｍに記憶されているオン／オフ状態を消去し、（ｂ２）他方、第２記憶部３ｍにオン／オフ状態が記憶されていなければ、近距離無線通信部３ｊの電源のオン／オフ状態をそのまま継続させる。
【００５７】
また、制御部３ｐは、操作部３ｄへの入力操作に基づいて、無線通信部３ａを介して外部電話機（不図示）との間で通話回線の接続を行う。より詳細には、制御部３ｐは、近距離無線通信部３ｊがハンズフリー装置７と通信接続していない場合は、下記（ｄ１）〜（ｄ３）を行う。
【００５８】
（ｄ１）制御部３ｐは、操作部３ｄへの入力操作で電話番号が指定されると、無線通信部３ａを介して前記電話番号が設定された外部電話機に発信を行って通話回線の接続を行う。
【００５９】
（ｄ２）制御部３ｐは、無線通信部３ａを介して着信を受信すると、操作部３ｄの入力操作に基づいて着信元の外部電話機との間で通話回線の接続を行う。
【００６０】
（ｄ３）制御部３ｐは、外部電話機との通話回線の接続状態では、無線通信部３ａを介して外部電話機から受信した受話音声をスピーカ部３ｂから出力すると共に、マイクロホン部３ｃから集音した送話音声を無線通信部３ａを介して外部電話機に送信する。
【００６１】
また、制御部３ｐは、近距離無線通信部３ｊがハンズフリー装置７と通信接続している場合は、下記（ｅ１）〜（ｅ３）を行う。
【００６２】
（ｅ１）制御部３ｐは、操作部３ｄへの入力操作で電話番号が指定されると、無線通信部３ａを介して前記電話番号が設定された外部電話機に発信を行って通話回線の接続を行う。なお。このように、操作部３ｄへの入力操作で通話回線の接続を行う代わりに、制御部３ｐは、近距離無線通信部３ｊを介してハンズフリー装置７から発信要求と電話番号とを受信すると、無線通信部３ａを介して前記電話番号が設定された外部電話機に発信を行って、外部電話機との間で通話回線の接続を行ってもよい。
【００６３】
（ｅ２）制御部３ｐは、無線通信部３ａを介して着信を受信すると、近距離無線通信部３ｊを介してハンズフリー装置７から受信する操作信号に基づいて、着信元の外部電話機との間で通話回線の接続を行う。なお、前記（ｄ３）のように、制御部３ｐは、操作部３ｄの入力操作に基づいて着信元の外部電話機との間で通話回線の接続を行ってもよい。
【００６４】
（ｅ３）制御部３ｐは、外部電話機との通話回線の接続状態では、無線通信部３ａを介して外部電話機から受信した受話音声等を近距離無線通信部３ｊを介してハンズフリー装置７に送信してハンズフリー装置７のスピーカ部３ｂから出力させると共に、近距離無線通信部３ｊを介してハンズフリー装置７から受信した送話音声等を無線通信部３ａを介して外部電話機に送信する。
【００６５】
＜充電台５の構成＞
充電台５は、非接触式（携帯電話機３の非接触無線通信部３ｋと同じ非接触式）の充電方式で、携帯電話機３の充電部３ｆを充電するものである。
【００６６】
充電台５は、図１に示すように、電磁相互作用（例えば電磁誘電、電界結合、電波または電界共鳴など）を利用して非接触で携帯電話機３に電力を送電（給電）する送電部５ａと、送電部５ａに電力を供給する電源回路５ｂと、前記複数の場所に配置された各充電台５を識別する識別情報が設定された非接触ＩＣタグ５ｃと、筐体５ｄ（図２参照）とを備えている。
【００６７】
送電部５ａは、送電部５ａから一定距離内に電磁相互作用を及ぼして、前記一定距離内に存在する携帯電話機３の充電部３ｆに非接触で電力を送電する。
【００６８】
非接触ＩＣタグ５ｃは、携帯電話機３の非接触無線通信部３ｋと同じ通信方式（例えばＮＦＣ）に準拠したものである。
【００６９】
筐体５ｄは、図２に示すように、中空の立方体状に形成されている。筐体５ｄの内部には、送電部５ａおよび電源回路５ｂが収容配設されている。また、筐体５ｄの上面は、例えば平坦に平成されており、携帯電話機３が載せられる載置面５ｅとなっている。筐体５ｄの上面には、非接触充電エリア５ｆが形成されていると共に、非接触ＩＣタグ５ｃが配設されている。非接触充電エリア５ｆは、筐体５ｄ内の送電部５ａから非接触で送電される電力が外部に出力される領域である。
【００７０】
この充電台５では、利用者により、非接触充電エリア５ｆ上に携帯電話機３の充電部３ｆが配置するように、充電台５の載置面５ｅ上に携帯電話機３が載せられる。このように充電台５の載置面５ｅ上に携帯電話機３が載せられると、（ｃ１）携帯電話機３の充電部３ｆが充電台５の送電部５ａから前記一定距離内に配置して、送電部５ａから充電部３ｆに非接触で電力が送電されて充電部３ｆが充電され、且つ（ｃ２）非接触ＩＣタグ５ｃが携帯電話機３の非接触無線通信部３ｋから前記所定距離内に配置して、非接触無線通信部３ｋにより非接触ＩＣタグ５ｃに設定された識別情報が読み取られる。
【００７１】
なお、前記車両の車室に配置された充電台５は、前記車両のエンジン始動により車両から電源供給されて、携帯電話機３への充電を開始する。また、前記車両の車室以外の例えば寝室、居間および職場に配置された充電台５は、例えば常時電源接続されており、携帯電話機３が充電台５に載せられることで、携帯電話機３への充電を開始する。
【００７２】
＜ハンズフリー装置７の構成＞
ハンズフリー装置７は、携帯電話機３と通信接続するための近距離無線通信機能を有し、前記近距離無線通信機能により携帯電話機３と通信接続することで、ハンズフリー装置７を介して携帯電話機３を手放しで使用可能にするものである。ハンズフリー装置７は、例えば前記所定の車両の車室に設置されている。
【００７３】
ハンズフリー装置７は、図１に示すように、携帯電話機３の近距離無線通信部３ｊと通信接続するための近距離無線通信部７ａと、受話音声等を出力するスピーカ部７ｂと、送話音声等を集音するマイクロホン部７ｃと、それら各部７ａ，７ｂ，７ｃを制御する制御部７ｄとを備えている。
【００７４】
近距離無線通信部７ａは、携帯電話機３の近距離無線通信部３ｊと同じ通信方式（例えばＢｌｕｅｔｏｏｔｈ（登録商標））に準拠した無線通信を行う通信部である。近距離無線通信部７ａは、携帯電話機３の近距離無線通信部３ｊから通信接続の要求を受信すると、近距離無線通信部３ｊとの間で通信接続を行う。
【００７５】
制御部７ｄは、近距離無線通信部７ａと携帯電話機３の近距離無線通信部３ｊとの通信接続状態では、近距離無線通信部７ａを介して携帯電話機３の近距離無線通信部３ｊから受信した受話音声等をスピーカ部７ｂから出力すると共に、マイクロホン部７ｃにより集音した送話音声等を近距離無線通信部７ａを介して携帯電話機３の近距離無線通信部３ｊに送信して、携帯電話機３の無線通信部３ａを介して外部電話機に送信させる。これにより、ハンズフリー装置７を介して携帯電話機３が使用可能になる。
【００７６】
＜第１記憶部３ｈへの識別情報の設定手順＞
図３〜図７に基づいて、携帯電話機３の第１記憶部３ｈへの識別情報の設定手順を説明する。図３は、携帯電話機３の第１記憶部３ｈへの識別情報の設定手順を説明するフローチャートであり、図４〜図７はそれぞれ、前記設定手順を案内する表示画面の一例を示した図である。
【００７７】
ステップＳ１では、識別情報設定部３ｉにより、携帯電話機３の操作部３ｄに、第１記憶部３ｈへの識別情報の設定を要求する操作が入力されたか否かが検出される。その検出の結果、当該操作が入力されていない場合（ＮＯ）は、処理がステップＳ１に戻り、他方、当該操作が入力された場合（ＹＥＳ）は、処理がステップＳ２に進む。
ステップＳ２では、制御部３ｐにより、非接触無線通信部３ｋの電源がオフ状態であるか否かが検出される。その検出の結果、非接触無線通信部３ｋの電源がオフ状態でない（即ちオン状態である）場合（ＮＯ）は、処理がステップ５に進み、他方、非接触無線通信部３ｋの電源がオフ状態である場合（ＹＥＳ）は、処理がステップ３に進む。
【００７８】
ステップＳ３では、制御部３ｐにより、非接触無線通信部３ｋの電源の現在（例えばステップＳ２の検出時）のオン／オフ状態（即ちオフ状態）が第３記憶部３ｎに記憶される。そして、ステップＳ４で、制御部３ｐにより、非接触無線通信部３ｋの電源がオン制御される。このオン制御により、非接触無線通信部３ｋにより、前記タグ検出動作および前記タグ読取動作が行われる。そして、処理がステップ５に進む。
【００７９】
ステップＳ５では、識別情報設定部３ｉにより、図４および図５の各々の表示画面Ｈ１，Ｈ２がこの順に表示部３ｅに順次表示される。なお、図４の表示画面Ｈ１は、例えば、設定手順の開始を示す画面の一例であり、図５の表示画面Ｈ２は、例えば、携帯電話機３を所望の場所の充電台５の非接触ＩＣタグ５ｃに向かい合わせることを指示する画面の一例である。
【００８０】
ステップＳ６では、図５の表示画面Ｈ２に従って、利用者により、携帯電話機３が所望の場所（ここでは、前記車両の車室）に配置された充電台５の非接触ＩＣタグ５ｃに向かい合わされる。そして、処理がステップＳ７に進む。
【００８１】
ステップＳ７では、非接触無線通信部３ｋにより、ステップＳ６で携帯電話機３と向かい合わされた非接触ＩＣタグ５ｃに設定されている識別情報が、読み取れられる。そして、処理がステップＳ８に進む。
【００８２】
ステップＳ８では、非接触無線通信部３ｋにより、ステップＳ７での識別情報の読み取りの成否が判定される。その判定の結果、ステップＳ７での識別情報の読み取りが失敗した場合（ＮＯ）は、処理がステップＳ１１に進み、他方、ステップＳ７での識別情報の読み取りが成功した場合（ＹＥＳ）は、処理がステップＳ９に進む。
ステップＳ９では、制御部３ｐにより、ステップＳ７で読み取られた識別情報が第１記憶部３ｈに設定される。これにより、第１記憶部３ｈへの識別情報の設定が完了する。そして、処理がステップＳ１０に進む。
【００８３】
ステップＳ１０では、識別情報設定部３ｉにより、図６および図７の各々の表示画面Ｈ３，Ｈ４がこの順に表示部３ｅに順次表示される。なお、図６の表示画面Ｈ３は、例えば、第１記憶部３ｈへの識別情報の設定の完了を示す画面の一例である。図７の表示画面Ｈ４では、例えば、設定手順の終了を示す画面の一例である。そして、処理がステップＳ１１に進む。
【００８４】
ステップＳ１１では、制御部３ｐにより、第３記憶部３ｎに非接触無線通信部３ｋの電源のオン／オフ状態（即ちオフ状態）が記憶されているか否かが判定される。その判定の結果、第３記憶部３ｎに非接触無線通信部３ｋの電源のオン／オフ状態が記憶されていない場合は、処理が終了し、他方、第３記憶部３ｎに非接触無線通信部３ｋの電源のオン／オフ状態が記憶されている場合は、処理がステップＳ１２に進む。
【００８５】
ステップＳ１２は、制御部３ｐにより、非接触無線通信部３ｋの電源のオン／オフ状態が第３記憶部３ｎに記憶されたオン／オフ状態（即ちオフ状態）に変更される（即ち戻される）。そして、ステップＳ１３で、制御部３ｐにより、第３記憶部３ｎに記憶されているオン／オフ状態が消去される。そして、処理が終了する。
【００８６】
なお、各ステップＳ１１〜Ｓ１３により、第１記憶部３ｈへの識別情報の設定が完了すると、非接触無線通信部３ｋの電源が当該設定が行われる前のオン／オフ状態に戻されるようになっている。
【００８７】
＜携帯電話機３が充電台５に載せられたときの携帯電話機３の動作＞
次に、図８に基づいて、携帯電話機３が充電台５の載置面５ｅに載せられたときの携帯電話機３の動作を説明する。図８は、携帯電話機３が充電台５の載置面５ｅに載せられたときの携帯電話機３の動作を説明するフローチャートである。
【００８８】
ステップＴ１では、利用者により、携帯電話機３が充電台５の載置面５ｅに載せられる。これにより、充電台５の電源がオン状態である場合は、充電台５の送電部５ａから携帯電話機３の充電部３ｆに非接触で電力が供給されて、充電部３ｆが充電される。なお、例えば車両の車室に配置された充電台５の電源は、車両のエンジン始動によりオン制御される。他方、寝室、居間および職場などの場所に配置された各充電台５の電源は、例えば常時オン状態になっている。
【００８９】
ステップＴ２では、制御部３ｐにより、充電状態検出部３ｇの検出結果に基づいて、携帯電話機３の充電部３ｆが充電中である否かが検出される。この検出の結果、充電部３ｆが充電中である場合（ＹＥＳ）は、処理がステップＴ３に進み、他方、充電部３ｆが充電中でない場合（ＮＯ）は、処理が終了する。
【００９０】
ステップＴ３では、制御部３ｐにより、非接触無線通信部３ｋの電源がオフ状態であるか否かが検出される。その検出の結果、非接触無線通信部３ｋの電源がオフ状態でない（即ちオン状態である）場合（ＮＯ）は、処理がステップＴ６に進み、非接触無線通信部３ｋの電源がオフ状態である場合（ＹＥＳ）は、処理がステップＴ４に進む。
【００９１】
ステップＴ４では、制御部３ｐにより、非接触無線通信部３ｋの電源の現在（例えばステップＴ３の検出時）のオン／オフ状態（即ちオフ状態）が第３記憶部３ｎに記憶される。そして、ステップＴ５で、制御部３ｐにより、非接触無線通信部３ｋの電源がオン制御される。そして、処理がステップＴ６に進む。
【００９２】
ステップＴ６では、非接触無線通信部３ｋによりタグ読取動作が行われる。このタグ読取動作により、ステップＴ１で携帯電話機３が載せられた充電台５の非接触ＩＣタグ５ｃに設定されている識別情報が、非接触無線通信部３ｋにより読み取れる。そして、処理がステップＴ７に進む。
【００９３】
ステップＴ７では、非接触無線通信部３ｋにより、ステップＴ６での識別情報の読み取りの成否が判定される。その判定の結果、ステップＴ６での識別情報の読み取りが成功した場合（ＹＥＳ）は、処理がステップＴ１１に進み、他方、ステップＴ６での識別情報の読み取りが失敗した場合（ＮＯ）は、処理がステップＴ８に進む。
【００９４】
ステップＴ８では、制御部３ｐにより、第３記憶部３ｎに非接触無線通信部３ｋの電源のオン／オフ状態が記憶されているか否かが判定される。その判定の結果、第３記憶部３ｎに非接触無線通信部３ｋの電源のオン／オフ状態が記憶されていない場合は、処理が終了し、他方、第３記憶部３ｎに非接触無線通信部３ｋの電源のオン／オフ状態が記憶されている場合（即ち、ステップＴ４を経由した場合）は、処理がステップＴ９に進む。
【００９５】
ステップＴ９では、制御部３ｐにより、非接触無線通信部３ｋの電源のオン／オフ状態が第３記憶部３ｎに記憶されているオン／オフ状態（即ちオフ状態）に戻される。そして、ステップＴ１０で、制御部３ｐにより、第３記憶部３ｎに記憶されたオン／オフ状態が消去される。処理が終了する。
【００９６】
ステップＴ１１では、制御部３ｐにより、ステップＴ７で読み取りに成功した識別情報と第１記憶部３ｈに設定されている識別情報とが一致するか否かが判定される。その判定の結果、それら各識別情報が一致しない場合（ＮＯ）は、処理がステップＴ９に進み、他方、それら各識別情報が一致する場合（ＹＥＳ）は、処理がステップＴ１２に進む。
【００９７】
ステップＴ１２では、制御部３ｐにより、充電状態検出部３ｇの検出結果に基づいて、携帯電話機の充電部３ｆが充電中であるか否かが判定される。その判定の結果、携帯電話機の充電部３ｆが充電中でない場合（ＮＯ）は、処理がステップＴ８に進み、他方、携帯電話機の充電部３ｆが充電中である場合（ＹＥＳ）は、処理がステップＴ１３に進む。
【００９８】
ステップＴ１３では、制御部３ｐにより、近距離無線通信部３ｊの電源がオフ状態であるか否かが検出される。その検出の結果、近距離無線通信部３ｊの電源がオフ状態でない（即ちオン状態である）場合（ＮＯ）は、ステップＴ１６に進み、他方、近距離無線通信部３ｊの電源がオフ状態である場合（ＹＥＳ）は、処理がステップＴ１４に進む。
【００９９】
ステップＴ１４では、制御部３ｐにより、近距離無線通信部３ｊの電源の現在（例えばステップＴ１３の検出時）のオン／オフ状態（即ちオフ状態）が第２記憶部３ｍに記憶される。そして、ステップＴ１５で、制御部３ｐにより、近距離無線通信部３ｊの電源がオン制御される。そして、ステップＴ１６で、近距離無線通信部３ｊにより、予めペアリングされたハンズフリー装置７の近距離無線通信部７ａとの間で通信接続が行われる。これにより、携帯電話機３がハンズフリー装置７を介して使用可能になる。
【０１００】
このように、この動作では、携帯電話機３が充電台５に載せられると、各識別情報が一致し（即ち、その充電台５の非接触ＩＣタグから読み取られた識別情報と第１記憶部３ｈに記憶されている識別情報とが一致し）且つ携帯電話機３が充電中であれば、携帯電話機３の近距離無線通信部３ｊの電源がオン制御されて、携帯電話機３とハンズフリー装置７とが近距離無線通信で通信接続される（ステップＴ１→Ｔ２→Ｔ３→Ｔ４→Ｔ５→Ｔ６→Ｔ７→Ｔ１１→Ｔ１２→Ｔ１４→Ｔ１５→Ｔ１６）。
【０１０１】
その際、そのオン制御の前で、近距離無線通信部３ｊの電源がオフ状態であれば、そのオフ状態が第２記憶部３ｍに記憶された上で、近距離無線通信部３ｊの電源がオン制御されて、携帯電話機３とハンズフリー装置７とが近距離無線通信で通信接続される（ステップＴ１１→Ｔ１２→Ｔ１３→Ｔ１４→Ｔ１５→Ｔ１６）。他方、各識別情報が一致し且つ携帯電話機３が充電中になった時点で、近距離無線通信部３ｊの電源がオン状態であれば、その時点で、携帯電話機３とハンズフリー装置７とが近距離無線通信で通信接続される（ステップＴ１１→Ｔ１２→Ｔ１３→Ｔ１６）。
【０１０２】
また、携帯電話機３が充電台５に載せられたときに、携帯電話機３の非接触無線通信部３ｋの電源がオフ状態であれば、充電台５の携帯電話機３への充電開始を契機に、そのオフ状態が第３記憶部３ｎに記憶された上で、非接触無線通信部３ｋの電源がオン制御されて、非接触ＩＣタグ５ｃの識別情報が読み取られる（ステップＴ１→Ｔ２→Ｔ３→Ｔ４→Ｔ５→Ｔ６）。他方、非接触無線通信部３ｋの電源がオン状態であれば、携帯電話機３が充電台５に載せられた時点で、非接触ＩＣタグ５ｃの識別情報が読み取られる（ステップＴ１→Ｔ２→Ｔ３→Ｔ６）。
【０１０３】
また、非接触ＩＣタグ５ｃの識別情報の読み取りが失敗した場合または各識別情報が一致しない（即ち、非接触ＩＣタグ５ｃから読み取った識別情報と第１記憶部３ｈに記憶されている識別情報とが一致しない）場合は、第３記憶部３ｎに非接触無線通信部３ｋの電源のオフオフ状態（即ちオフ状態）が記憶されていれば、その記憶されているオン／オフ状態に携帯電話機３の非接触無線通信部３ｋの電源が戻され、その後、第３記憶部３ｎに記憶されているオン／オフ状態が消去される（ステップＴ８→Ｔ９→Ｔ１０）。他方、第３記憶部３ｎに非接触無線通信部３ｋの電源のオン／オフ状態が記憶されていなければ、非接触無線通信部３ｋの電源はオン状態のまま変更されない（ステップＴ８→終了）。これにより、非接触ＩＣタグ５ｃの識別情報の読み取りが失敗した場合または各識別情報が一致しない場合は、非接触無線通信部３ｋの電源のオン／オフ状態は、充電台５に載せられる前の状態に戻され、このとき、携帯電話機３の近距離無線通信部３ｊの電源はオン制御されない。
【０１０４】
＜携帯電話機３が充電台５から取り外されたときの携帯電話機３の動作＞
次に、図９に基づいて、携帯電話機３が充電台５の載置面５ｅから取り外されたときの携帯電話機３の動作を説明する。図９は、携帯電話機３が充電台５の載置面５ｅから取り外されたときの携帯電話機３の動作を説明するフローチャートである。
【０１０５】
ステップＵ１では、利用者により、携帯電話機３が充電台５の載置面５ｅから取り外される。
【０１０６】
ステップＵ２では、携帯電話機３の非接触無線通信部３ｋの前記タグ検出動作により、充電台５の非接触ＩＣタグ５ｃが非接触無線通信部３ｋから所定距離外に離れたこと（即ち、携帯電話機３が充電台５から取り外されたこと）が検出される。そして、処理がステップＵ３に進む。
【０１０７】
ステップＵ３では、制御部３ｐにより、第３記憶部３ｎに非接触無線通信部３ｋの電源のオン／オフ状態が記憶されているか否かが検出される。その検出の結果、第３記憶部３ｎに前記オン／オフ状態が記憶されていない場合（即ち、図８のステップＴ４を経由しなかった場合）（ＮＯ）は、処理がステップＵ６に進み、他方、第３記憶部３ｎに前記オン／オフ状態が記憶されている場合（即ち、図８のステップＴ４を経由した場合）（（ＹＥＳ）は、処理がステップＵ４に進む。
【０１０８】
ステップＵ４では、制御部３ｐにより、非接触無線通信部３ｋの電源のオン／オフ状態が第３記憶部３ｎに記憶されているオン／オフ状態（即ちオフ状態）に変更される。そして、ステップＵ５で、制御部３ｐにより、第３記憶部３ｎに記憶されているオン／オフ状態が消去される。そして、処理がステップＵ６に進む。
【０１０９】
ステップＵ６では、制御部３ｐにより、第２記憶部３ｍに近距離無線通信部３ｊの電源のオン／オフ状態が記憶されているか否かが検出される。その検出の結果、第２記憶部３ｍに前記オン／オフ状態が記憶されていない場合（即ち、図８のステップＴ１４を経由しなかった場合）（ＮＯ）は、処理が終了し、他方、第２記憶部３ｍに前記オン／オフ状態が記憶されている場合（即ち、図８のステップＴ１４を経由した場合）（ＹＥＳ）は、処理がステップＵ７に進む。
【０１１０】
ステップＵ７では、制御部３ｐにより、近距離無線通信部３ｊの電源のオン／オフ状態が第２記憶部３ｍに記憶されているオン／オフ状態（即ちオフ状態）に変更される。そして、ステップＵ８で、制御部３ｐにより、第２記憶部３ｍに記憶されているオン／オフ状態が消去される。そして、処理が終了する。
【０１１１】
このように、この動作では、携帯電話機３が充電台５から取り外されると、第３記憶部３ｎに非接触無線通信部３ｋの電源のオン／オフ状態（即ちオフ状態）が記憶されていれば、そのオン／オフ状態に携帯電話機３の非接触無線通信部３ｋの電源が戻され、その後、第３記憶部３ｎに記憶されているオン／オフ状態が消去される（ステップＵ１→Ｕ２→Ｕ３→Ｕ４→Ｕ５）。他方、第３記憶部３ｎに前記オン／オフ状態が記憶されていなければ、携帯電話機３の非接触無線通信部３ｋの電源はオン状態のまま変更されない（ステップＵ１→Ｕ２→Ｕ３→Ｕ５）。このように、携帯電話機３が充電台５から取り外されると、携帯電話機３の非接触無線通信部３ｋの電源のオン／オフ状態は、充電台５に載せられる前のオン／オフ状態に戻される。
【０１１２】
また、第２記憶部３ｍに近距離無線通信部３ｊの電源のオン／オフ状態（即ちオフ状態）が記憶されていれば、そのオン／オフ状態に近距離無線通信部３ｊの電源が戻され、その後、第２記憶部３ｍに記憶されているオン／オフ状態は消去される（ステップＵ６→Ｕ７→Ｕ８）。他方、第２記憶部３ｍに前記オン／オフ状態が記憶されていなければ、近距離無線通信部３ｊの電源はオン状態のまま変更されない（ステップＵ６→終了）。このように、携帯電話機３が充電台５から取り外されると、近距離無線通信部３ｊの電源のオン／オフ状態は、充電台５に載せられる前のオン／オフ状態に戻される。
【０１１３】
＜主要な効果＞
以上のように構成された携帯端末システム１によれば、非接触無線通信部３ｋにより読み取られた識別情報が特定の識別情報と一致し且つ充電状態検出部３ｇにより充電部３ｆが充電中であることが検出された場合は、近距離無線通信部３ｊの電源がオン制御されるので、特定の場所に配置された充電台５に、特定の識別情報が設定された非接触ＩＣタグ５ｃを配設しておくことで、携帯電話機３が特定の場所の充電台５に装着された（即ち載せられた）場合に、近距離無線通信部３ｊの電源を自動的にオン制御させることができる。これにより、携帯電話機３を操作することなく、ハンズフリー装置７の電源を入れるだけで、ハンズフリー装置７を用いて通話できる。
【０１１４】
その際、充電部３ｆが充電中であることを条件に、近距離無線通信部３ｊの電源がオン制御されるので、携帯電話機３の電池残量を気にせずに、近距離無線通信部３ｊの電源がオン制御させることができる。
【０１１５】
また、非接触無線通信部３ｋにより読み取られた識別情報が特定の識別情報と一致し且つ充電状態検出部３ｇにより充電部３ｆが充電中であることが検出された場合は、その検出時の近距離無線通信部３ｊの電源がオフ状態であれば、そのオフ状態が第２記憶部３ｍに記憶されるので、近距離無線通信部３ｊの電源がオン制御される前の当該電源のオン／オフ状態（即ちオフ状態）を保存しておくことができる。
【０１１６】
更に、非接触無線通信部３ｋにより非接触ＩＣタグ５ｃが所定距離内に存在しないことが検出された場合（即ち、携帯電話機３が充電台５から取り外された場合）は、第２記憶部３ｍにオン／オフ状態が記憶されていれば、近距離無線通信部３ｊの電源のオン／オフ状態が第２記憶部３ｍに記憶されているオン／オフ状態に変更される。第２記憶部３ｍには、近距離無線通信部３ｊの電源がオン制御される前の当該電源のオン／オフ状態（即ちオフ状態）が記憶されている。よって、携帯電話機３が充電台５から取り外された場合は、近距離無線通信部３ｊの電源を、それがオン制御される前のオン／オフ状態（即ちオフ状態）に自動的に戻すことができる。これにより、不要な場合は、近距離無線通信部３ｊを停止できる。
【０１１７】
その際、携帯電話機３の充電台５からの取り外しの検出が非接触無線通信部３ｋの前記タグ検出動作を利用して行われるので、携帯電話機３の充電台５からの取り外しの契機を検出する機構を携帯電話機３または充電台５に設ける必要がない。
【０１１８】
また、充電状態検出部３ｇにより充電部３ｆが充電中であることが検出された場合は、非接触無線通信部３ｋの電源がオン制御されるので、携帯電話機３の電池残量を気にせずに、非接触無線通信部３ｋの電源をオン制御させることができる。
【０１１９】
そして、非接触無線通信部３ｋにより非接触ＩＣタグ５ｃが所定距離内に存在しないことが検出された場合（即ち、携帯電話機が充電台から取り外された場合）は、非接触無線通信部３ｋの電源が第３記憶部３ｎに記憶されたオン／オフ状態に変更される。第３記憶部３ｎには、非接触無線通信部３ｋの電源がオン制御される前の当該電源のオン／オフ状態（即ちオフ状態）が記憶されている。よって、携帯電話機３が充電台５から取り外された場合は、非接触無線通信部３ｋの電源を、それがオン制御される前のオン／オフ状態（即ちオフ状態）に自動的に戻すことができる。
【０１２０】
このように非接触無線通信部３ｋの電源は自動的にオンオフ制御されるので、携帯電話機３を操作して非接触無線通信部３ｋの電源をオンオフ切り替えする手間が省ける。
【０１２１】
また、充電状態検出部３ｇにより充電部３ｆが充電中であることが検出された場合は、その検出時の非接触無線通信部３ｋの電源がオフ状態であれば、そのオフ状態が第３記憶部３ｎに記憶されるので、非接触無線通信部３ｋの電源がオン制御される前の当該電源のオン／オフ状態（即ちオフ状態）を保存しておくことができる。
【０１２２】
更に、操作部３ｄに所定の操作が入力された場合において、非接触無線通信部３ｋにより識別情報が読み取られた場合は、その読み取られた識別情報が特定の識別情報として第１記憶部３ｈに設定されるので、第１記憶部３ｈに設定される特定の識別情報として、利用者の所望の識別情報を設定でき、また、特定の識別情報の変更が容易に行える。
【０１２３】
また、充電台５は、充電台５を識別する識別情報が設定された非接触ＩＣタグ５ｃを備えるので、上述の効果を奏する携帯電話機３用の充電器を提供できる。また、充電台５は、従来の充電台に非接触ＩＣタグ５ｃを配設するだけで本願発明の携帯電話機３に対応できるので、安価に構成できる。
【０１２４】
≪変形例１≫
第１実施形態では、ハンズフリー装置７は、筐体内にスピーカ部７ｂとマイクロホン部７ｃとが収容される形態であるが、スピーカ部７ｂとマイクロホン部７ｃが、利用者の頭に装着可能なヘッドセットとして構成された形態であってもよい。
【０１２５】
また、第１実施形態では、携帯電話機３と近距離無線通信で通信接続する外部機器の一例としてハンズフリー装置７を例に挙げて説明したが、外部機器としては、近距離無線通信機能を有して携帯電話機３と通信接続可能なものであれば、どのような外部機器であってもよい。
【０１２６】
また、第１実施形態では、充電台５は、非接触式の充電器である場合で説明したが、有線接続式（即ち、携帯電話機と充電台とが機械的に接続される方式）の充電器であってもよい。
【０１２７】
また、第１実施形態では、携帯端末装置の一例として携帯電話機３を例に挙げて説明したが、携帯端末装置としては、外部機器と近距離無線通信で通信接続する通信機能を有するものであれば、どのような携帯端末装置であってもよい。
【０１２８】
≪変形例２≫
第１実施形態の携帯電話機３は、充電台５に載せられると、携帯電話機３の充電状態に応じて非接触無線通信部３ｋがオン制御され、そのオン制御された非接触無線通信部３ｋにより充電台５の識別情報が読み取られ、その読み取られた識別情報が第１記憶部３ｈに記憶されている識別情報と一致し且つ携帯電話機３が充電中である場合に、携帯電話機３の近距離無線通信部３ｊの電源が自動的にオン制御される機能（ステップＴ２〜Ｔ１６：以後、近距離無線通信制御機能と呼ぶ）を備えるものであるが、この機能のオン／オフ切り替えを操作部３ｄの操作により行えるようにしてもよい。
【０１２９】
また、第１記憶部３ｈに識別情報が設定されていない場合も、前記近距離無線通信機能は、作動しない（即ち、自動的に前記近距離無線通信機能がオフにされる）ようにしてもよい。この場合、第１記憶部３ｈに記憶されている識別情報は、操作部３ｄの操作により消去できるようにしてもよい。即ち、操作部３ｄにより消去操作が入力されると、識別情報設定部３ｉは、第１記憶部３ｈに記憶されている識別情報を削除する。
【０１３０】
≪変形例３≫
第１実施形態では、第１記憶部３ｈに識別情報を設定する場合、携帯電話機３の充電状態は考慮しなかったが、制御部３ｐにより、充電状態検出部３ｇの検出結果に基づいて携帯電話機３が充電中である否かを判定させ、携帯電話機３が充電中である場合だけ、第１記憶部３ｈに識別情報が設定されるようにしてもよい。
【０１３１】
この場合は、図３において、各ステップＳ１とＳ３との間に、ステップＳ１４として、制御部３ｐにより、充電状態検出部３ｇの検出結果に基づいて携帯電話機３が充電中である否かを判定させ、携帯電話機３が充電中である場合は、処理がステップＳ２に進み、携帯電話機３が充電中でない場合は、処理が終了するという処理を追加すればよい。
【０１３２】
また、充電中に第１記憶部３ｈに識別情報を設定する場合、ステップＳ１３の終了時点ではステップＴ２の処理は既に終了してしまっており、図８の処理は自動的には開始されないケースも考えられるため、ステップＳ１３の終了時に明示的にステップＴ２へと進んでも良い。
【０１３３】
≪変形例４≫
第１実施形態のステップＴ６（図８）では、制御部３ｐが自発的に非接触ＩＣタグの識別情報の読み出しを行う場合と、非接触無線通信部３ｋの電源があらかじめオンになっている場合には非接触ＩＣタグと近接した時点で非接触無線通信部３ｋが非接触ＩＣタグの識別情報を読み出し制御部３ｐに通知する動作の２種類が考えられる。前者の場合はこれまでの説明どおりであるが、後者の場合には図８のステップＴ２より先に非接触ＩＣタグの識別情報の読み出しが行われることが考えられる。一般に、車両内では、エンジンが始動すると、充電台５から携帯電話機３への充電が開始されるが、そのため、携帯電話機３が充電台５に載せられた後にエンジンが始動すると、充電台５に載せられたタイミングで非接触ＩＣタグの読み出しが完了するが、充電中で無いため処理が終了してしまう。たとえばステップＴ２を省略し、ステップＴ１２にて、充電中となるまでしばらく（たとえば１分程度）待つ動作としても良い。この場合は１分の間に充電中とならなければ充電中でないと判定する動作となる。
【０１３４】
≪付帯事項≫
以上、添付図面を参照しながら本発明の好適な実施形態について説明したが、本発明は斯かる例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１３５】
また、第１実施形態と変形例１〜４の何れかとを組み合わせた発明についても、当然に本発明の技術的範囲に属するものと解される。
【産業上の利用可能性】
【０１３６】
本発明は、外部機器（ハンズフリー装置など）と通信接続するための近距離無線通信機能を有し、特定の場所に配置された充電器に載せられている（即ち装着されている）間だけ、その通信機能の電源を自動的にオン状態に制御する携帯端末装置への適用に最適である。
【符号の説明】
【０１３７】
１  携帯端末システム
３  携帯電話機（携帯端末装置）
３ｄ  操作部
３ｆ  充電部
３ｇ  充電状態検出部
３ｈ  第１記憶部
３ｉ  識別情報設定部
３ｊ  近距離無線通信部
３ｋ  非接触無線通信部
３ｍ  第２記憶部
３ｎ  第３記憶部
３ｐ  制御部
５  充電台（充電器）
５ａ  送電部
５ｃ  非接触ＩＣタグ
７  ハンズフリー装置（外部機器）
【図１】
2014049896.tif 000003
【図２】
2014049896.tif 000004
【図３】
2014049896.tif 000005
【図４】
2014049896.tif 000006
【図５】
2014049896.tif 000007
【図６】
2014049896.tif 000008
【図７】
2014049896.tif 000009
【図８】
2014049896.tif 000010
【図９】
2014049896.tif 000011